(57)【要約】【課題】使用者が情報処理装置を保持する際の安定性を向上させるのに有効なベルトを備えた情報処理装置を提供する。【解決手段】情報処理装置１００は、表面に操作部１１０が設けられた第１の筐体１０１と、ディスプレイが設けられた第２の筐体１０２と、情報処理装置１００が開閉自在になるように第１の筐体１０１の奥側を第２の筐体１０２に接続する開閉機構１２０と、第１の筐体１０１の裏側に設けられたベルト１５０とを備えている。ベルト１５０は、第１の筐体１０１の一方の側面１０１ｂの側に取り付けられた取付箇所から、その一方の側面１０１ｂから離れるに従って第１の筐体１０１の奥側に近づくように第１の筐体１０１の裏面１０１ａ上を斜めに延びて、第１の筐体１０１の奥側に取り付けられた取付箇所に至る。【選択図】図５
2014041545.tif 000002
【特許請求の範囲】
【請求項１】
情報処理装置であって、
表面に操作部が設けられた第１の筐体と、
ディスプレイが設けられた第２の筐体と、
当該情報処理装置が開閉自在になるように前記第１の筐体の奥側を前記第２の筐体に接続する開閉機構と、
前記第１の筐体の裏側に設けられたベルトとを備え、
前記ベルトは、前記第１の筐体の一方の側面の側に取り付けられた取付箇所から、該一方の側面から離れるに従って前記第１の筐体の奥側に近づくように前記第１の筐体の裏面上を斜めに延びて、前記第１の筐体の奥側に取り付けられた取付箇所に至ることを特徴とする情報処理装置。
【請求項２】
前記ベルトでは、前記取付箇所の少なくとも１つの近傍に、前記第１の筐体の厚さ方向に弾性変形する弾性変形部が設けられていることを特徴とする請求項１に記載の情報処理装置。
【請求項３】
前記ベルトは、前記第１の筐体の裏面に対面する側が裏側であり、
前記ベルトでは、前記取付箇所の少なくとも１つの近傍に、前記ベルトの裏側へ曲がって折り返す折り返し部が設けられていることを特徴とする請求項１に記載の情報処理装置。
【請求項４】
前記ベルトでは、前記第１の筐体の奥側に取り付けられた取付箇所の近傍だけに、前記折り返し部が設けられていることを特徴とする請求項３に記載の情報処理装置。
【請求項５】
前記ベルトでは、前記第１の筐体の奥側に取り付けられた取付箇所の近傍に、前記折り返し部が設けられ、該折り返し部の外端が、前記第１の筐体の奥側の辺と略一直線になっている、または、前記奥側の辺より内側に位置していることを特徴とする請求項３に記載の情報処理装置。
【請求項６】
前記ベルトにおいてその延伸方向に延びる縁のうち、前記第１の筐体の奥側の縁が前記第１筐体の裏面との間に形成する開口を第１開口とし、前記第１の筐体の手前側の縁が前記第１の筐体の裏面との間に形成する開口を第２開口とした場合に、
前記ベルトは、前記第１開口における高さの最高値よりも、前記第２開口における高さの最高値の方が大きくなるように形成されていることを特徴とする請求項１に記載の情報処理装置。
【請求項７】
前記ベルトは、前記第１の筐体の奥側に取り付けられた取付箇所から延びて２手に分岐し、分岐した一方が、前記第１の筐体の一方の側面の側に取り付けられ、分岐した他方が、前記第１の筐体の他方の側面の側に取り付けられていることを特徴とする請求項１に記載の情報処理装置。
【請求項８】
前記ベルトにおいてその延伸方向に延びる縁のうち、前記第１の筐体の奥側の縁の形状は、前記取付箇所の間を結ぶ線から離れるように凹んだ曲線部を含むことを特徴とする請求項１に記載の情報処理装置。
【請求項９】
前記ベルトは、エラストマー樹脂により構成されていることを特徴とする請求項１に記載の情報処理装置。
【請求項１０】
前記ディスプレイに横向きに画像を表示する状態と、前記ディスプレイに縦向きに画像を表示する状態とを切り替え可能に構成されていることを特徴とする請求項１に記載の情報処理装置。
【請求項１１】
情報処理装置であって、
表面にディスプレイおよび操作部が設けられた筐体と、
前記筐体の裏側に設けられたベルトとを備え、
前記ディスプレイは、前記筐体の外周の一部を構成する第１辺の側が画像の上側になるように画像を表示可能であり、
前記ベルトは、前記筐体において前記第１辺が上側に位置する使用状態で、一方の側面の側に取り付けられた取付箇所から、該一方の側面から離れるに従って前記第１辺に近づくように前記筐体の裏面上を斜めに延び、前記第１辺の側に取り付けられた取付箇所に至ることを特徴とする情報処理装置。
【請求項１２】
前記ベルトでは、前記取付箇所の少なくとも１つの近傍に、前記筐体の厚さ方向に弾性変形する弾性変形部が設けられていることを特徴とする請求項１１に記載の情報処理装置。
【請求項１３】
前記ベルトは、前記筐体の裏面に対面する側が裏側であり、
前記ベルトでは、前記取付箇所の少なくとも１つの近傍に、前記ベルトの裏側へ曲がって折り返す折り返し部が設けられていることを特徴とする請求項１１に記載の情報処理装置。
【請求項１４】
前記ベルトでは、前記第１辺の側に取り付けられた取付箇所の近傍だけに、前記折り返し部が設けられていることを特徴とする請求項１３に記載の情報処理装置。
【請求項１５】
前記ベルトでは、前記第１辺の側に取り付けられた取付箇所の近傍に、前記折り返し部が設けられ、該折り返し部の外端が、前記筐体の前記第１辺と略一直線になっている、または、前記第１辺より内側に位置していることを特徴とする請求項１３に記載の情報処理装置。
【請求項１６】
前記ベルトにおいてその延伸方向に延びる縁のうち、前記筐体の前記第１辺の側の縁が前記筐体の裏面との間に形成する開口を第１開口とし、前記筐体における前記第１辺に相対する第２辺の側の縁が前記筐体の裏面との間に形成する開口を第２開口とした場合に、
前記ベルトは、前記第１開口における高さの最高値よりも、前記第２開口における高さの最高値の方が大きくなるように形成されていることを特徴とする請求項１１に記載の情報処理装置。
【請求項１７】
前記使用状態の前記ベルトは、前記筐体の前記第１辺の側に取り付けられた取付箇所から延びて２手に分岐し、分岐した一方が、前記筐体の一方の側面の側に取り付けられ、分岐した他方が、前記筐体の他方の側面の側に取り付けられていることを特徴とする請求項１１に記載の情報処理装置。
【請求項１８】
前記ベルトにおいてその延伸方向に延びる縁のうち、前記第１辺の側の縁の形状は、前記取付箇所の間を結ぶ線から離れるように凹んだ曲線部を含むことを特徴とする請求項１１に記載の情報処理装置。
【請求項１９】
前記ベルトは、エラストマー樹脂により構成されていることを特徴とする請求項１１に記載の情報処理装置。
【請求項２０】
情報処理装置において操作部が表面に設けられた筐体に取り付けられて、前記筐体の裏面との間に隙間を形成する情報処理装置用のベルトであって、
ベルト本体部と、
前記ベルト本体部の端部に設けられて、前記筐体に取り付けられる取付端部と、
前記取付端部の近傍に設けられて、前記ベルト本体部の裏側へ曲がって折り返す折り返し部とを備えていることを特徴とする情報処理装置用のベルト。
【発明の詳細な説明】
【技術分野】
【０００１】
本開示は、情報処理装置の保持に使用されるベルトを備えた情報処理装置に関する。
【背景技術】
【０００２】
特許文献１は、背面筐体部と、背面筐体部と対向する前面筐体部と、背面筐体部の背面部に外部に突出して設けた凸部と、凸部を覆うように前記背面筐体部に固定したベルトとを備えた情報処理装置を開示する。ベルトは、凸部の頂部と対向する位置に貫通部を備えている。使用者は、片手の手のひらで凸部を包み込んで握るように保持する。このとき、貫通部から片手の人差し指、中指あるいは薬指などの第３関節部が突出した状態となる。これにより、片手に対する背面筐体部の密着を強固にできる。
【先行技術文献】
【特許文献】
【０００３】
【特許文献１】再表２００９−１０１８００号公報
【発明の概要】
【発明が解決しようとする課題】
【０００４】
本開示は、使用者が情報処理装置を保持する際の安定性を向上させるのに有効なベルトを備えた情報処理装置を提供する。
【課題を解決するための手段】
【０００５】
本開示における情報処理装置は、表面に操作部が設けられた第１の筐体と、ディスプレイが設けられた第２の筐体と、情報処理装置が開閉自在になるように第１の筐体の奥側を第２の筐体に接続する開閉機構と、第１の筐体の裏側に設けられたベルトとを備え、ベルトは、第１の筐体の一方の側面の側に取り付けられた取付箇所から、その一方の側面から離れるに従って第１の筐体の奥側に近づくように第１の筐体の裏面上を斜めに延びて、第１の筐体の奥側に取り付けられた取付箇所に至る。
【０００６】
また、本開示における情報処理装置は、表面にディスプレイおよび操作部が設けられた筐体と、筐体の裏側に設けられたベルトとを備え、ディスプレイは、筐体の外周の一部を構成する第１辺の側が画像の上側になるように画像を表示可能であり、ベルトは、筐体において第１辺が上側に位置する使用状態で、一方の側面の側に取り付けられた取付箇所から、その一方の側面から離れるに従って第１辺に近づくように筐体の裏面上を斜めに延び、第１辺の側に取り付けられた取付箇所に至る。
【０００７】
また、本開示における情報処理装置用のベルトは、情報処理装置において操作部が表面に設けられた筐体に取り付けられて、筐体の裏面との間に隙間を形成する情報処理装置用のベルトであって、ベルト本体部と、ベルト本体部の端部に設けられて、筐体に取り付けられる取付端部と、取付端部の近傍に設けられて、ベルト本体部の裏側へ曲がって折り返す折り返し部とを備えている。
【発明の効果】
【０００８】
本開示における情報処理装置は、使用者が情報処理装置を保持する際の安定性を向上させるのに有効である。
【図面の簡単な説明】
【０００９】
【図１】実施の形態１における情報処理装置の裏側の斜視図
【図２】実施の形態１における情報処理装置の裏側を図１とは別の角度から見た斜視図
【図３】実施の形態１における情報処理装置の裏面図
【図４】実施の形態１におけるベルトの裏面図
【図５】実施の形態１における情報処理装置を片手で保持した状態を示す斜視図
【図６】実施の形態１における情報処理装置について、タブレット状態で使用できるタイプの情報処理装置を、画面を縦向きにして片手で保持した状態を示す斜視図
【図７】実施の形態２における情報処理装置の正面図
【図８】実施の形態２における情報処理装置を片手で保持した状態を示す斜視図
【図９】その他の実施の形態における、２箇所で取り付けられるタイプのベルトを備えた情報処理装置の裏面図
【図１０】その他の実施の形態における、実施の形態１〜２とはベルトの取付位置が異なる情報処理装置の裏面図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するものであって、これらによって特許請求の範囲に記載の主題を限定することを意図するものではない。
【００１２】
（実施の形態１）
以下、図１〜６を用いて、実施の形態１を説明する。
【００１３】
[１−１．情報処理装置の構成]
図１は、本実施の形態における情報処理装置１００の裏側の斜視図である。図２は、本実施の形態における情報処理装置１００の裏側を図１とは別の角度から見た斜視図である。図２では、後述する第２の筐体１０２、操作部１１０及び開閉機構１２０を省略している。図３は、本実施の形態における情報処理装置１００の裏面図である。図４は、本実施の形態におけるベルト１５０の裏面図である。図５は、本実施の形態における情報処理装置１００を片手で保持した状態を示す斜視図である。図６は、本実施の形態における情報処理装置１００について、タブレット状態で使用できるタイプの情報処理装置１００を、画面を縦向きにして片手で保持した状態を示す斜視図である。
【００１４】
図１に示すように、本実施の形態の情報処理装置１００は、ノート型パソコンである。情報処理装置１００は、操作部１１０が表面に設けられた第１の筐体１０１と、ディスプレイ１０３（図５参照）が設けられた第２の筐体１０２と、情報処理装置１００が開閉自在になるように第１の筐体１０１の奥側を第２の筐体１０２に接続する開閉機構１２０と、第１の筐体１０１の裏面１０１ａとの間に隙間が形成されるように第１の筐体１０１に３箇所で取り付けられたベルト１５０とを備えている。操作部１１０は、情報処理装置１００に対する使用者の操作を受け付ける部分であり、例えばキーボード及びタッチパッドにより構成されている。また、開閉機構１２０は、例えばヒンジにより構成されている。
【００１５】
なお、以下では、第１の筐体１０１において、開閉機構１２０側を「奥側」といい、その逆側を「手前側」という。また、第１の筐体１０１の外周面（第１の筐体１０１の厚さ方向に延びる面）のうち、奥−手前方向に延びる面を「側面」という。
【００１６】
第１の筐体１０１は、平面視が略矩形状で薄型の筐体である。第１の筐体１０１は、ＣＰＵ、メモリー（例えばＨＤＤ）、及びバッテリーなどを内蔵している。第１の筐体１０１の表面（上面）には、上述の操作部１１０が設けられている。第１の筐体１０１の裏面１０１ａ（下面）には、後述するベルト１５０、及びバッテリーの取出部（図示省略）などが設けられている。第１の筐体１０１の外周面には、電気コードの接続端子、及び周辺機器への接続口（例えば、ＵＳＢポート）などが設けられている（図示省略）。
【００１７】
第２の筐体１０２は、平面視が略矩形状で薄型の筐体である。第２の筐体１０２は、正面視の形状及び大きさが、第１の筐体１０１とほぼ同じである。第２の筐体１０２では、片面の大部分をディスプレイ１０３が占めている。第２の筐体１０２のディスプレイ１０３は、第１の筐体１０１と第２の筐体１０２が重なった閉状態で、第１の筐体１０１のキーボードに対面する。第２の筐体１０２では、ディスプレイ１０３とは反対側の面が、情報処理装置１００を保護するためのシールド面になっている。
【００１８】
情報処理装置１００は、上記閉状態から、開閉機構１２０の回転軸を支点にして第１の筐体１０１の手前側から第２の筐体１０２が離れるように開くことで、使用者がディスプレイ１０３を視認可能な開状態に切り替わる。
【００１９】
[１−２．ベルト及び取付部の構成]
まず、ベルト１５０について説明する。
【００２０】
ベルト１５０は、使用者が情報処理装置１００を持ったまま使用することができるように、操作部１１０が設けられた第１の筐体１０１の裏面１０１ａに設けられている。ベルト１５０は、図２に示すように、第１の筐体１０１の裏面１０１ａ側に、使用者の手を挿通可能な隙間を形成する。図３及び図４に示すように、ベルト１５０は、３つの取付端部１５１〜１５３を有する略Ｙ字状に形成されている。ベルト１５０は、例えば、エラストマー樹脂により構成されている。なお、ベルト１５０は、伸縮自在な硬質ゴム、又はポリブチレンテレフタレートなどの弾性を備えた樹脂などにより構成してもよい。
【００２１】
図３を用いてベルト１５０の形状を説明する。ベルト１５０は、中央部１５４から３方向へ延びている。ベルト１５０は、中央部１５３と、中央部１５４から第１の取付端部１５１まで延びる第１の帯状部１６１と、中央部１５４から第２の取付端部１５２まで延びる第２の帯状部１６２と、中央部１５４から第３の取付端部１５３まで延びる第３の帯状部１６３とを有する。ベルト１５０は、第１の取付端部１５１が第１の筐体１０１の奥側に取り付けられ、第２の取付端部１５２が第１の筐体１０１の第１の側面１０１ｂの側に取り付けられ、第３の取付端部１５３が第１の筐体１０１の第２の側面１０１ｃの側に取り付けられる。
【００２２】
なお、図３に示すように、ベルト１５０を正面から見ると、第１の帯状部１６１は第１の取付端部１５１から中央部１５４へ向かって真っ直ぐ延びている。以下では、この第１の帯状部１６１の延伸方向を「ベルト１５０の短手方向」といい、ベルト１５０の短手方向に直交する方向を「ベルト１５０の長手方向」という。また、ベルト１５０を第１の筐体１０１に取り付けた状態で、第１の筐体１０１の裏面１０１ａに対面しない側を「ベルト１５０の表側」といい、第１の筐体１０１の裏面１０１ａに対面する側を「ベルト１５０の裏側」という。
【００２３】
第１の帯状部１６１は、図２に示すように、ベルト１５０が折り返すようにベルト１５０の裏側へ曲がる折り返し部１５５を有している。折り返し部１５５は、ベルト１５０における第１の取付端部１５１の近傍に設けられている。第１の帯状部１６１は、ベルト１５０の中央部１５４からベルト１５０の短手方向に真っ直ぐ延びて、折り返し部１５５でベルト１５０の裏側へ折り返し、第１の取付端部１５１に至る。第１の取付端部１５１は、図４に示すように、２つの半円を直線で繋いだ長円状（レーストラック形状）に形成されている。第１の取付端部１５１には、座金が設置される長円状の凹部が形成され、その凹部にネジ用の挿通孔（例えば、２つの挿通孔）が形成されている。
【００２４】
第２の帯状部１６２は、図３に示すように、ベルト１５０の中央部１５４からベルト１５０の長手方向に対して第１の帯状部１６１と反対側に斜めに延び、外側部分の延伸方向がベルト１５０の短手方向に近づくように曲がった後に、第２の取付端部１５２に至る。第２の取付端部１５２では、ベルト１５０の表側に凹部１５２ａが形成され、ベルト１５０の裏側に突起１５２ｂが形成されている。第２の取付端部１５２では、ネジ用の挿通孔（例えば、２つの挿通孔）が、凹部１５２ａの底面から突起１５２ｂの先端面に亘って形成されている。
【００２５】
第３の帯状部１６３は、第１の帯状部１６１の中心線に対して、第２の帯状部１６２とは対称に設けられている。第３の帯状部１６３は、図３に示すように、ベルト１５０の中央部１５４からベルト１５０の長手方向に対して第１の帯状部１６１と反対側に斜めに延びて、外側部分の延伸方向がベルト１５０の短手方向に近づくように曲がった後に、第３の取付端部１５３に至る。第３の取付端部１５３では、ベルト１５０の表側に凹部１５３ａが形成され、ベルト１５０の裏側に突起１５３ｂが形成されている。第３の取付端部１５３では、ネジ用の挿通孔（例えば、２つの挿通孔）が、凹部１５３ａの底面から突起１５３ｂの先端面に亘って形成されている。
【００２６】
続いて、図１および図２を参照しながら、第１の筐体１０１の裏面１０１ａに形成されたベルト用の取付部１２１〜１２３について説明する。
【００２７】
第１の筐体１０１の裏面１０１ａには、第１の取付端部１５１が取り付けられる第１の取付部１２１と、第２の取付端部１５２が取り付けられる第２の取付部１２２と、第３の取付端部１５３が取り付けられる第３の取付部１２３とが形成されている。各取付部１２１〜１２３は、第１の筐体１０１の裏面１０１ａに形成された凹部と、その凹部の底面に開口するネジ穴（例えば、２つのネジ穴）とを有する。
【００２８】
第１の取付部１２１の凹部は、第１の筐体１０１の奥側の長辺の略中央部から内側に向かって形成された略矩形状の窪みである。第１の取付端部１５１は、第１の取付部１２１の凹部の底面に当接する状態で、第１の取付部１２１にネジ止めされる。
【００２９】
第２の取付部１２２及び第３の取付部１２３の各凹部は、第１の取付部１２１の凹部よりも面積が小さい略矩形状の窪みである。第１の筐体１０１の裏面１０１ａでは、第２の取付部１２２の凹部が第１の側面１０１ｂよりも少し内側に形成され、第３の取付部１２３の凹部が第２の側面１０１ｃよりも少し内側に形成されている。第２の取付部１２２及び第３の取付部１２３の各凹部は、第１の筐体１０１の長手方向に延びている。第２の取付端部１５２は、その突起１５２ｂが第２の取付部１２２の凹部に嵌め込まれた状態で、第２の取付部１２２にネジ止めされる。同様に、第３の取付端部１５３は、その突起１５３ｂが第３の取付部１２３の凹部に嵌め込まれた状態で、第３の取付部１２３にネジ止めされる。
【００３０】
ベルト１５０の３つの取付端部１５１〜１５３が第１の筐体１０１の３つの取付部１２１〜１２３に取り付けられた取付状態について説明する。以下では、ベルト１５０に自重のみが作用する状態（使用者などによりベルト１５０が引っ張られたり、押されたりしていない状態）について説明する。
【００３１】
ベルト１５０は、第２の取付端部１５２から第１の取付端部１５１までの部分が、図３に示すように、第１の筐体１０１の第１の側面１０１ｂの側から、その第１の側面１０１ｂから離れるに従って第１の筐体１０１の奥側に近づくように第１の筐体１０１の裏面１０１ａ上を斜めに延びている。この部分は、第１の筐体１０１の裏面１０１ａの対角線のうち、第１の側面１０１ｂの手前側から第２の側面１０１ｃの奥側へ延びる対角線よりも奥側に位置している。
【００３２】
また、ベルト１５０は、図３に示すように、第３の取付端部１５３から第１の取付端部１５１までの部分が、第１の筐体１０１の第２の側面１０１ｃの側から、その第２の側面１０１ｃから離れるに従って第１の筐体１０１の奥側に近づくように第１の筐体１０１の裏面１０１ａ上を斜めに延びている。この部分は、第１の筐体１０１の裏面１０１ａの対角線のうち、第１の側面１０１ｂの奥側から第２の側面１０１ｃの手前側へ延びる対角線よりも奥側に位置している。
【００３３】
また、第１の帯状部１６１は、図２に示すように、中央部１５４から折り返し部１５５までの部分と、第１の筐体１０１の裏面１０１ａとの間に、折り返し部１５５による隙間が形成されている。第１の帯状部１６１は、折り返し部１５５から中央部１５４に近づくに従って、第１の筐体１０１の裏面１０１ａとの間の隙間が徐々に大きくなっている。折り返し部１５５は、第１の取付端部１５１の位置から見て、第１の筐体１０１の短手方向の外側に突出している。
【００３４】
また、第２の帯状部１６２は、図２に示すように、第２の取付端部１５２の近傍が第１の筐体１０１の裏面１０１ａに当接し、中央部１５４に近づくに従って、第１の筐体１０１の裏面１０１ａとの間の隙間が徐々に大きくなっている。同様に、第３の帯状部１６３は、図２に示すように、第３の取付端部１５３の近傍が第１の筐体１０１の裏面１０１ａに当接し、中央部１５４に近づくに従って第１の筐体１０１の裏面１０１ａとの間の隙間が徐々に大きくなっている。
【００３５】
また、折り返し部１５５の外端は、第１の筐体１０１の奥側の長辺と略一直線になっている。折り返し部１５５の外端は、第１の筐体１０１の奥側に設けられるコーナーガード１３５よりも内側に位置している。コーナーガード１３５は図３にのみ記載している。なお、折り返し部１５５の外端は、第１の筐体１０１の奥側の長辺より内側に位置していてもよい。この場合、折り返し部１５５の外端が他の物体と接触しにくくなるため、折り返し部１５５の損傷を抑制することができる。
【００３６】
ベルト１５０は、第１の筐体１０１の裏面１０１ａと共に、使用者の手の入口又は出口となる３つの開口１７１〜１７３を形成している。第１の開口１７１は、ベルト１５０においてその延伸方向に延びる縁のうち、第１の筐体１０１の手前側の縁が第１の筐体１０１の裏面１０１ａとの間に形成する手前側開口である。第１の開口１７１は幅広の開口である。ベルト１５０を第１の筐体１０１の手前側から見ると、ベルト１５０の手前側は弓状に湾曲している。一方、第２の開口１７２及び第３の開口１７３は、ベルト１５０においてその延伸方向に延びる縁のうち、第１の筐体１０１の奥側の縁が第１の筐体１０１の裏面１０１ａとの間に形成する奥側開口である。第２の開口１７２及び第３の開口１７３は、第１の帯状部１６１により区画されている。第２の開口１７２は、第１の帯状部１６１よりも第１の側面１０１ｂ側に形成され、第３の開口１７３は、第１の帯状部１６１よりも第２の側面１０１ｃ側に形成されている。ベルト１５０に自重だけが作用する状態では、第２の開口１７２における高さの最高値及び第３の開口１７３における高さの最高値よりも、第１の開口１７１における高さの最高値の方が大きくなっている。
【００３７】
続いて、正面から見たベルト１５０の外形形状について説明する。ベルト１５０においてその延伸方向に延びる縁のうち、第１の筐体１０１の手前側の縁の形状は、図３に示すように、第１の筐体１０１の奥側へ凹んだ曲線（凹曲線）に形成されている。また、ベルト１５０においてその延伸方向に延びる縁のうち、第１の取付端部１５１と第２の取付端部１５２との間を延びる部分の奥側の縁の形状は、第１の取付端部１５１側から順番に、ベルト１５０の短手方向に延びる第１−１直線部１８１、中央部１５４側へ凹んだ第１−２曲線部１８２、ベルト１５０の長手方向に対して斜めに延びる第１−２直線部１８３、及び第１曲線部１８２とは反対側へ曲がる第１−２曲線部１８４が連続している。第１−１曲線部１８２は、第１の取付端部１５１の中心と第２の取付端部１５２の中心との間を結ぶ線から離れるように凹んでいる。同様に、ベルト１５０においてその延伸方向に延びる縁のうち、第１の取付端部１５１と第３の取付端部１５３との間を延びる部分の奥側の縁の形状は、第１の取付端部１５１側から順番に、ベルト１５０の短手方向に延びる第２−１直線部１９１、中央部１５４側へ凹んだ第２−１曲線部１９２、ベルト１５０の長手方向に対して斜めに延びる第２−２直線部１９３、及び第１曲線部１９２とは反対側へ曲がる第２−２曲線部１９４が連続している。第２−１曲線部１９２は、第１の取付端部１５１の中心と第３の取付端部１５３の中心との間を結ぶ線から離れるように凹んでいる。
【００３８】
[１−３．情報処理装置の保持方法及び効果等]
本実施の形態において、情報処理装置１００を片手で保持して使用する場合の保持方法について説明する。
【００３９】
図５では、使用者は、第１の開口１７１から手を挿入して、第２の開口１７２から親指を出し、第３の開口１７３から人差し指から小指までの４本の指を出した状態で、第１の筐体１０１の裏面１０１ａを手のひらで保持している。この保持方法の場合に、親指と人差し指で第１の帯状部１６１を挟み込むことで、情報処理装置１００を安定して保持することができる。さらに、第１の帯状部１６１が第１の筐体１０１の奥側に位置しているため、使用者が全部の指または一部の指を折り曲げると、第１の筐体１０１の奥側の外周面１０１ｄに指先が当たる。従って、使用者は、親指と人差し指で第１の帯状部１６１を挟み込みつつ、第１の筐体１０１の奥側の外周面１０１ｄに指先を当てた状態で、情報処理装置１００を保持することができる。
【００４０】
また、使用者は、第１の開口１７１から手を挿入して、第２の開口１７２又は第３の開口１７３の一方から全ての指を出した状態で、第１の筐体１０１の裏面１０１ａを手のひらで保持する方法を採用することもできる。この場合も、第１の筐体１０１の奥側の外周面１０１ｄに指先を当てることができる。
【００４１】
また、ベルト１５０は、第１の筐体１０１の奥側の略中央部から第１の筐体１０１の側面（第１の側面１０１ｂ又は第２の側面１０１ｃ）の近傍まで延びている。このため、第３の開口１７３から多くの指を出す場合は、第１の筐体１０１の裏面１０１ａの短手方向に手及び腕を設けるのではなく、図５に示すように、第１の筐体１０１の裏面１０１ａの短手方向に対して斜めに手及び腕を設けることができる。また、図示しないが、第２の開口１７２から多くの指を出す場合も同様に、第１の筐体１０１の裏面１０１ａの短手方向に対して斜めに手及び腕を設けることができる。このように手及び腕を斜めに設けると、第１の筐体１０１の裏面１０１ａに対する使用者の手及び腕の接触面積が大きくなる。従って、情報処理装置１００をより安定して保持することができる。
【００４２】
また、ベルト１５０の第１の開口１７１は幅広の開口であるため、使用者の手の挿入方向の自由度が大きい。従って、使用者は、無理のない手の挿入方向を選択することができる。
【００４３】
また、ベルト１５０は、第１の筐体１０１の奥側の略中央部から第１の側面１０１ｂ及び第２の側面１０１ｃへそれぞれ延びている。このため、使用者は、右手でも左手でも同じ方法で情報処理装置１００を保持することができる。ベルト１５０は、左右対称な略Ｙ字状であるため、左利き用と右利き用とを兼ねることができる。また、ベルト１５０が第１の筐体１０１の奥側の略中央部から片方の側面だけに延びている場合に比べて、使用者は様々な保持方法を選択することができる。
【００４４】
また、第１の取付端部１５１の近傍に折り返し部１５５が設けられている。そのため、第１の取付端部１５１の近傍は、第２の取付端部１５２の近傍及び第３の取付端部１５３の近傍よりも、第１の筐体１０１の裏面１０１ａとの間の隙間が大きい。さらに、ベルト１５０が弾性変形する素材で構成されているため、折り返し部１５５は第１の筐体１０１の厚さ方向に弾性変形する。折り返し部１５５は弾性変形部を構成している。そのため、第１の取付端部１５１の近傍は、第２の取付端部１５２の近傍及び第３の取付端部１５３の近傍より、さらに第１の筐体１０１の裏面１０１ａとの間の隙間を大きくすることができる。従って、使用者は、第１の帯状部１６１の外側部分にまで手を入れることができ、第１の帯状部１６１を指で容易に挟むことができる。
【００４５】
また、ベルト１５０を弾性変形する素材で構成しているために、ベルト１５０の弾性力を利用して、使用者の手を第１の筐体１０１の裏面に押し付けることができる。従って、手とベルト１５０との一体感を向上させることができる。
【００４６】
また、上述したように、第２の開口１７２における高さの最高値及び第３の開口１７３における高さの最高値よりも、第１の開口１７１における高さの最高値の方が大きい。そのため、第１の開口１７１から手を挿入した場合に、ベルト１５０の奥側よりも手前側の方が、手の甲のうち手の厚みが大きい箇所に当接する。そのため、ベルト１５０に対する手のフィット感を向上させることができる。
【００４７】
また、ベルト１５０においてその延伸方向に延びる縁の形状について、ベルト１５０の奥側には、中央部１５４側へ凹んだ第１−１曲線部１８２および第２−１曲線部１９２が存在している。このため、指の第２関節または第３関節がベルト１５０の第２の開口１７２又は第３の開口１７３から出やすい。第２の開口１７２又は第３の開口１７３から奥側へ出た関節は、ベルト１５０に引っ掛かりやすいので、情報処理装置１００をより安定して保持することができる。また、手のひらで保持された情報処理装置１００を回転しにくくすることもできる。
【００４８】
また、略矩形のディスプレイ１０３が縦向きになるように使用者が情報処理装置１００を保持する場合に、使用者の親指と人差し指の間にベルト１５０の第１の帯状部１６１が引っ掛かる。そのため、使用者は、第１の帯状部１６１が引っ掛かる手の部位で、情報処理装置１００の重さを受け持つことにより、情報処理装置１００を容易に保持することができる。なお、ディスプレイ１０３を縦向きに使用できる場合は、情報処理装置１００は、ディスプレイ１０３に横向きに画像を表示する状態と、ディスプレイ１０３に縦向きに画像を表示する状態とを切り替え可能に構成されている。この場合に、例えば、情報処理装置１００において、情報処理装置１００の向きを検出して、その検出結果に応じてディスプレイ１０３の画像を回転させる画像回転処理が行われる。
【００４９】
また、情報処理装置１００は、開閉機構１２０としてニ軸ヒンジを使用してもよい。この場合は、図６に示すように、ディスプレイ１０３が設けられた第２の筐体１０２の前面１０２ａが第１の筐体１０１とは反対側を向いたまま情報処理装置１００を閉じたタブレット状態で、情報処理装置１００を使用することができる。この場合も、ディスプレイ１０３が縦向きになるように使用者が情報処理装置１００を保持する場合に、第１の帯状部１６１が引っ掛かる親指と人差し指の間で、情報処理装置１００の重さを受け持つことにより、情報処理装置１００を容易に保持することができる。
【００５０】
（実施の形態２）
以下、図７〜８を用いて、実施の形態２を説明する。図７は、本実施の形態における情報処理装置２００の表面図である。図８は、本実施の形態における情報処理装置２００の裏側の斜視図である。
【００５１】
[２−１．情報処理装置の構成]
図７及び図８に示すように、本実施の形態の情報処理装置２００は、タブレット型の情報処理端末（例えば、ＰＤＡ（Personal Digital Assistant））である。情報処理装置２００は、表面にディスプレイ２０２および操作部２１０（例えば、タッチパネル）が設けられた筐体２０１と、筐体２０１の裏面２０１ａとの間に隙間が形成されるように筐体２０１に３箇所で取り付けられたベルト１５０とを備えている。筐体２０１は、平面視が略矩形状で薄型の筐体である。筐体２０１は、ＣＰＵ、メモリー（例えばＨＤＤ）、及びバッテリーなどを内蔵している。筐体２０１の裏面２０１ａ（下面）には、後述するベルト１５０などが設けられている。
【００５２】
情報処理装置２００では、筐体２０１の向きに応じて、ディスプレイ２０２に表示される画像を回転させる画像回転処理が実行される。情報処理装置２００は、筐体２０１を横向きにするとディスプレイ２０２を横向きに使用する状態（ディスプレイ２０２の短手方向が画像の上下方向になる状態）になり、筐体２０１を縦向きにするとディスプレイ２０２を縦向きに使用する状態（ディスプレイ２０２の長手方向が画像の上下方向になる状態）になる。ディスプレイ２０２は、筐体２０１の外周の一部を構成する第１長辺２０１ｄ（図８において左上の長辺）の側が上側になるように画像を表示可能である。
【００５３】
[２−２．ベルトの構成]
図８に示すように、ベルト１５０は、実施の形態１と同じベルトである。ベルト１５０は、第１の取付端部１５１が、筐体２０１の裏面２０１ａにおける第１長辺２０１ｄの側に形成された第１の取付部２２１に取り付けられる。第２の取付端部１５２が、筐体２０１の裏面２０１ａにおける一方の第１短辺２０１ｂの側に形成された第２の取付部２２２に取り付けられる。第３の取付端部１５３が、筐体２０１の裏面２０１ａにおいて第１短辺２０１ｂに相対する第２短辺２０１ｃの側に形成された第３の取付部２２３に取り付けられる。
【００５４】
ベルト１５０の３つの取付端部１５１〜１５３が筐体２０１の３つの取付部２２１〜２２３に取り付けられた取付状態について説明する。以下では、ベルト１５０に自重のみが作用する状態（使用者などによりベルト１５０が引っ張られたり、押されたりしていない状態）について説明する。
【００５５】
ベルト１５０は、第２の取付端部１５２から第１の取付端部１５１までの部分が、図８に示すように、筐体２０１の第１短辺２０１ｂの側から、その第１短辺２０１ｂから離れるに従って筐体２０１の第１長辺２０１ｄに近づくように筐体２０１の裏面２０１ａ上を斜めに延びている。また、ベルト１５０は、図８に示すように、第３の取付端部１５３から第１の取付端部１５１までの部分が、筐体２０１の第２短辺２０１ｃの側から、その第２短辺２０１ｃから離れるに従って筐体２０１の第１長辺２０１ｄに近づくように筐体２０１の裏面２０１ａ上を斜めに延びている。また、折り返し部１５５の外端は、筐体２０１の第１長辺２０１ｄと略一直線になっている。なお、折り返し部１５５の外端は、筐体２０１の第１長辺２０１ｄより内側に位置していてもよい。
【００５６】
ベルト１５０は、筐体２０１の裏面２０１ａと共に、使用者の手の入口又は出口となる３つの開口２７１〜２７３を形成している。第１の開口２７１は、ベルト１５０においてその延伸方向に延びる縁のうち、第１長辺２０１ｄとは反対側の縁が筐体２０１の裏面２０１ａとの間に形成する開口である。一方、第２の開口２７２及び第３の開口２７３は、ベルト１５０においてその延伸方向に延びる縁のうち、第１長辺２０１ｄの側の縁が筐体２０１の裏面２０１ａとの間に形成する開口である。ベルト１５０に自重だけが作用する状態では、第２の開口２７２における高さの最高値及び第３の開口２７３における高さの最高値よりも、第１の開口１７１における高さの最高値の方が大きくなっている。
【００５７】
なお、本実施の形態の筐体２０１は、第２短辺２０１ｃの側が上側となる。例えば、筐体２０１の表面又は裏面に、第２短辺２０１ｃの側が上側となるように文字が付されている。第１長辺２０１ｄは、図７において筐体２０１の左側の辺である。ベルト１５０は、図７において筐体２０１の右側の長辺の側に第１の取付端部１５１が取り付けられるように、本実施の形態とは逆の位置に設けてもよい。
【００５８】
本実施の形態では、上述したように、筐体２０１の向きに応じて、ディスプレイ２０２に表示される画像が回転するため、使用者は、図８とは異なり、略矩形のディスプレイ２０２が縦向きになるように情報処理装置２００を使用することができる。このような場合に、使用者の親指と人差し指の間にベルト１５０の第１の帯状部１６１が引っ掛かる。そのため、使用者は、第１の帯状部１６１が引っ掛かる手の部位で、情報処理装置２００の重さを受け持つことにより、情報処理装置２００を容易に保持することができる。
【００５９】
（他の実施の形態）
以上のように、本出願において開示する技術の例示として、実施の形態１〜２を説明した。しかしながら、本開示における技術は、これに限定されず、適宜、変更、置き換え、付加、省略などを行った実施の形態にも適用可能である。また、上記実施の形態１〜２で説明した各構成要素を組み合わせて、新たな実施の形態とすることも可能である。
【００６０】
そこで、以下、他の実施の形態を例示する。
【００６１】
実施の形態１〜２では、弾性変形部の一例として、折り返し部１５５を説明した。しかし、弾性変形部は、これに限定されない。例えば、弾性変形部は、ベルト１５０のベルト本体部よりも伸縮性の大きい帯状のゴムであってもよい。
【００６２】
また、実施の形態１〜２では、折り返し部１５５が弾性変形するが、折り返し部１５５が弾性変形しない素材により構成されていてもよい。
【００６３】
また、実施の形態１〜２において、筐体の奥側に脚部を設ける場合に、ベルト１５０の中央部１５４を脚部の下端よりも膨出させてもよい。これにより、情報処理装置が裏面から落下する場合に、ベルト１５０がクッションの役割を果たす。
【００６４】
また、実施の形態１〜２では、第１の取付端部１５１を筐体の裏面に取り付けたが、第１の取付端部１５１を筐体の奥側の外周面に取り付けてもよい。その場合に、折り返し部１５５を筐体の外側へ突出させてもよいし、筐体の下側へ突出させてもよい。また、実施の形態１〜２では、第２の取付端部１５１及び第３の取付端部１５２を筐体の裏面に取り付けたが、筐体の側面に取り付けてもよい。
【００６５】
また、実施の形態１〜２では、ベルトの一例として、３箇所で情報処理装置１００に取り付けられるタイプのベルト１５０を説明した。しかし、ベルトは、これに限定されない。例えば、図９に示すように、２箇所で情報処理装置１００に取り付けられるタイプのベルト２５０であってもよい。この場合に、ベルト２５０における第１の取付端部２５１と第２の取付端部２５２との間の部分は、表面に操作部が設けられた筐体１０１の一方の側面１０１ｂの側から、その一方の側面１０１ｂから離れるに従って筐体１０１の奥側に近づくように筐体１０１の裏面１０１ａ上を斜めに延びている。
【００６６】
また、実施の形態１〜２では、ベルトの一例として、第１の取付端部１５１の近傍に折り返し部１５５が設けられているベルト１５０を説明した。しかし、ベルト１５０は、これに限定されない。例えば、ベルト１５０に折り返し部１５５を設けなくてもよいし、第２の取付端部１５２の近傍及び第３の取付端部１５３の近傍にも折り返し部を設けてもよい。
【００６７】
また、実施の形態１〜２では、筐体の長辺の略中央部の近傍に、ベルト１５０の第１の取付端部１５１を取り付けていた。しかし、ベルト１５０の第１の取付端部１５１は、図１０に示すように、筐体１０１の短手方向において一方の長辺１０１ｅの側に取り付ければよく、その長辺１０１ｅから離れた位置に取り付けてもよい。また、ベルト１５０の第１の取付端部１５１は、筐体１０１の長手方向において長辺１０１ｅの中央部よりも一方の短辺寄りに取り付けてもよい。
【００６８】
また、実施の形態１〜２では、筐体の裏面における側面の略中央部に、ベルト１５０の第２の取付端部１５２及び第３の取付端部１５３を取り付けていた。しかし、ベルト１５０の第２の取付端部１５２及び第３の取付端部１５３は、筐体の手前側に取り付けてもよい。
【００６９】
また、実施の形態１〜２では、ベルト１５０が取り付けられる筐体は、平面視が略矩形状であったが、例えば平面視が略正方形状であってもよい。
【００７０】
以上のように、本開示における技術の例示として、実施の形態を説明した。そのために、添付図面および詳細な説明を提供した。
【００７１】
したがって、添付図面および詳細な説明に記載された構成要素の中には、課題解決のために必須な構成要素だけでなく、上記技術を例示するために、課題解決のためには必須ではない構成要素も含まれ得る。そのため、それらの必須ではない構成要素が添付図面や詳細な説明に記載されているからといって、直ちに、それらの必須ではない構成要素が必須であるとの認定を受けるべきではない。
【００７２】
また、上述の実施の形態は、本開示における技術を例示するためのものであるから、特許請求の範囲またはその均等な範囲において種々の変更、置き換え、付加、省略などを行うことができる。
【産業上の利用可能性】
【００７３】
本開示は、情報処理装置の保持に使用されるベルトを備えた情報処理装置等に適用可能である。
【符号の説明】
【００７４】
１００、２００  情報処理装置
１０１  第１の筐体
１０２  第２の筐体
１０３  ディスプレイ
１１０  操作部
１２０  開閉機構
１５０、２５０  ベルト
１５１  第１の取付端部
１５２  第２の取付端部
１５３  第３の取付端部
１５４  中央部
１５５  折り返し部
１６１  第１の帯状部
１６２  第２の帯状部
１６３  第３の帯状部
２０１  筐体
２０２  ディスプレイ
【図１】
2014041545.tif 000003
【図２】
2014041545.tif 000004
【図３】
2014041545.tif 000005
【図４】
2014041545.tif 000006
【図５】
2014041545.tif 000007
【図６】
2014041545.tif 000008
【図７】
2014041545.tif 000009
【図８】
2014041545.tif 000010
【図９】
2014041545.tif 000011
【図１０】
2014041545.tif 000012
【手続補正書】
【提出日】平成25年2月1日(2013.2.1)
【手続補正１】
【補正対象書類名】明細書
【補正対象項目名】全文
【補正方法】変更
【補正の内容】
【発明の詳細な説明】
【技術分野】
【０００１】
本開示は、情報処理装置の保持に使用されるベルトを備えた情報処理装置に関する。
【背景技術】
【０００２】
特許文献１は、背面筐体部と、背面筐体部と対向する前面筐体部と、背面筐体部の背面部に外部に突出して設けた凸部と、凸部を覆うように前記背面筐体部に固定したベルトとを備えた情報処理装置を開示する。ベルトは、凸部の頂部と対向する位置に貫通部を備えている。使用者は、片手の手のひらで凸部を包み込んで握るように保持する。このとき、貫通部から片手の人差し指、中指あるいは薬指などの第３関節部が突出した状態となる。これにより、片手に対する背面筐体部の密着を強固にできる。
【先行技術文献】
【特許文献】
【０００３】
【特許文献１】再表２００９−１０１８００号公報
【発明の概要】
【発明が解決しようとする課題】
【０００４】
本開示は、使用者が情報処理装置を保持する際の安定性を向上させるのに有効なベルトを備えた情報処理装置を提供する。
【課題を解決するための手段】
【０００５】
本開示における情報処理装置は、表面に操作部が設けられた第１の筐体と、ディスプレイが設けられた第２の筐体と、情報処理装置が開閉自在になるように第１の筐体の奥側を第２の筐体に接続する開閉機構と、第１の筐体の裏側に設けられたベルトとを備え、ベルトは、第１の筐体の一方の側面の側に取り付けられた取付箇所から、その一方の側面から離れるに従って第１の筐体の奥側に近づくように第１の筐体の裏面上を斜めに延びて、第１の筐体の奥側に取り付けられた取付箇所に至る。
【０００６】
また、本開示における情報処理装置は、表面にディスプレイおよび操作部が設けられた筐体と、筐体の裏側に設けられたベルトとを備え、ディスプレイは、筐体の外周の一部を構成する第１辺の側が画像の上側になるように画像を表示可能であり、ベルトは、筐体において第１辺が上側に位置する使用状態で、一方の側面の側に取り付けられた取付箇所から、その一方の側面から離れるに従って第１辺に近づくように筐体の裏面上を斜めに延び、第１辺の側に取り付けられた取付箇所に至る。
【０００７】
また、本開示における情報処理装置用のベルトは、情報処理装置において操作部が表面に設けられた筐体に取り付けられて、筐体の裏面との間に隙間を形成する情報処理装置用のベルトであって、ベルト本体部と、ベルト本体部の端部に設けられて、筐体に取り付けられる取付端部と、取付端部の近傍に設けられて、ベルト本体部の裏側へ曲がって折り返す折り返し部とを備えている。
【発明の効果】
【０００８】
本開示における情報処理装置は、使用者が情報処理装置を保持する際の安定性を向上させるのに有効である。
【図面の簡単な説明】
【０００９】
【図１】実施の形態１における情報処理装置の裏側の斜視図
【図２】実施の形態１における情報処理装置の裏側を図１とは別の角度から見た斜視図
【図３】実施の形態１における情報処理装置の裏面図
【図４】実施の形態１におけるベルトの裏面図
【図５】実施の形態１における情報処理装置を片手で保持した状態を示す斜視図
【図６】実施の形態１における情報処理装置について、タブレット状態で使用できるタイプの情報処理装置を、画面を縦向きにして片手で保持した状態を示す斜視図
【図７】実施の形態２における情報処理装置の正面図
【図８】実施の形態２における情報処理装置を片手で保持した状態を示す斜視図
【図９】その他の実施の形態における、２箇所で取り付けられるタイプのベルトを備えた情報処理装置の裏面図
【図１０】その他の実施の形態における、実施の形態１〜２とはベルトの取付位置が異なる情報処理装置の裏面図
【発明を実施するための形態】
【００１０】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、発明者は、当業者が本開示を十分に理解するために添付図面および以下の説明を提供するものであって、これらによって特許請求の範囲に記載の主題を限定することを意図するものではない。
【００１２】
（実施の形態１）
以下、図１〜６を用いて、実施の形態１を説明する。
【００１３】
[１−１．情報処理装置の構成]
図１は、本実施の形態における情報処理装置１００の裏側の斜視図である。図２は、本実施の形態における情報処理装置１００の裏側を図１とは別の角度から見た斜視図である。図２では、後述する第２の筐体１０２、操作部１１０及び開閉機構１２０を省略している。図３は、本実施の形態における情報処理装置１００の裏面図である。図４は、本実施の形態におけるベルト１５０の裏面図である。図５は、本実施の形態における情報処理装置１００を片手で保持した状態を示す斜視図である。図６は、本実施の形態における情報処理装置１００について、タブレット状態で使用できるタイプの情報処理装置１００を、画面を縦向きにして片手で保持した状態を示す斜視図である。
【００１４】
図１に示すように、本実施の形態の情報処理装置１００は、ノート型パソコンである。情報処理装置１００は、操作部１１０が表面に設けられた第１の筐体１０１と、ディスプレイ１０３（図５参照）が設けられた第２の筐体１０２と、情報処理装置１００が開閉自在になるように第１の筐体１０１の奥側を第２の筐体１０２に接続する開閉機構１２０と、第１の筐体１０１の裏面１０１ａとの間に隙間が形成されるように第１の筐体１０１に３箇所で取り付けられたベルト１５０とを備えている。操作部１１０は、情報処理装置１００に対する使用者の操作を受け付ける部分であり、例えばキーボード及びタッチパッドにより構成されている。また、開閉機構１２０は、例えばヒンジにより構成されている。
【００１５】
なお、以下では、第１の筐体１０１において、開閉機構１２０側を「奥側」といい、その逆側を「手前側」という。また、第１の筐体１０１の外周面（第１の筐体１０１の厚さ方向に延びる面）のうち、奥−手前方向に延びる面を「側面」という。
【００１６】
第１の筐体１０１は、平面視が略矩形状で薄型の筐体である。第１の筐体１０１は、ＣＰＵ、メモリー（例えばＨＤＤ）、及びバッテリーなどを内蔵している。第１の筐体１０１の表面（上面）には、上述の操作部１１０が設けられている。第１の筐体１０１の裏面１０１ａ（下面）には、後述するベルト１５０、及びバッテリーの取出部（図示省略）などが設けられている。第１の筐体１０１の外周面には、電気コードの接続端子、及び周辺機器への接続口（例えば、ＵＳＢポート）などが設けられている（図示省略）。
【００１７】
第２の筐体１０２は、平面視が略矩形状で薄型の筐体である。第２の筐体１０２は、正面視の形状及び大きさが、第１の筐体１０１とほぼ同じである。第２の筐体１０２では、片面の大部分をディスプレイ１０３が占めている。第２の筐体１０２のディスプレイ１０３は、第１の筐体１０１と第２の筐体１０２が重なった閉状態で、第１の筐体１０１のキーボードに対面する。第２の筐体１０２では、ディスプレイ１０３とは反対側の面が、情報処理装置１００を保護するためのシールド面になっている。
【００１８】
情報処理装置１００は、上記閉状態から、開閉機構１２０の回転軸を支点にして第１の筐体１０１の手前側から第２の筐体１０２が離れるように開くことで、使用者がディスプレイ１０３を視認可能な開状態に切り替わる。
【００１９】
[１−２．ベルト及び取付部の構成]
まず、ベルト１５０について説明する。
【００２０】
ベルト１５０は、使用者が情報処理装置１００を持ったまま使用することができるように、操作部１１０が設けられた第１の筐体１０１の裏面１０１ａに設けられている。ベルト１５０は、図２に示すように、第１の筐体１０１の裏面１０１ａ側に、使用者の手を挿通可能な隙間を形成する。図３及び図４に示すように、ベルト１５０は、３つの取付端部１５１〜１５３を有する略Ｙ字状に形成されている。ベルト１５０は、例えば、エラストマー樹脂により構成されている。なお、ベルト１５０は、伸縮自在な硬質ゴム、又はポリブチレンテレフタレートなどの弾性を備えた樹脂などにより構成してもよい。
【００２１】
図３を用いてベルト１５０の形状を説明する。ベルト１５０は、中央部１５４から３方向へ延びている。ベルト１５０は、中央部１５４と、中央部１５４から第１の取付端部１５１まで延びる第１の帯状部１６１と、中央部１５４から第２の取付端部１５２まで延びる第２の帯状部１６２と、中央部１５４から第３の取付端部１５３まで延びる第３の帯状部１６３とを有する。ベルト１５０は、第１の取付端部１５１が第１の筐体１０１の奥側に取り付けられ、第２の取付端部１５２が第１の筐体１０１の第１の側面１０１ｂの側に取り付けられ、第３の取付端部１５３が第１の筐体１０１の第２の側面１０１ｃの側に取り付けられる。
【００２２】
なお、図３に示すように、ベルト１５０を正面から見ると、第１の帯状部１６１は第１の取付端部１５１から中央部１５４へ向かって真っ直ぐ延びている。以下では、この第１の帯状部１６１の延伸方向を「ベルト１５０の短手方向」といい、ベルト１５０の短手方向に直交する方向を「ベルト１５０の長手方向」という。また、ベルト１５０を第１の筐体１０１に取り付けた状態で、第１の筐体１０１の裏面１０１ａに対面しない側を「ベルト１５０の表側」といい、第１の筐体１０１の裏面１０１ａに対面する側を「ベルト１５０の裏側」という。
【００２３】
第１の帯状部１６１は、図２に示すように、ベルト１５０が折り返すようにベルト１５０の裏側へ曲がる折り返し部１５５を有している。折り返し部１５５は、ベルト１５０における第１の取付端部１５１の近傍に設けられている。第１の帯状部１６１は、ベルト１５０の中央部１５４からベルト１５０の短手方向に真っ直ぐ延びて、折り返し部１５５でベルト１５０の裏側へ折り返し、第１の取付端部１５１に至る。第１の取付端部１５１は、図４に示すように、２つの半円を直線で繋いだ長円状（レーストラック形状）に形成されている。第１の取付端部１５１には、座金が設置される長円状の凹部が形成され、その凹部にネジ用の挿通孔（例えば、２つの挿通孔）が形成されている。
【００２４】
第２の帯状部１６２は、図３に示すように、ベルト１５０の中央部１５４からベルト１５０の長手方向に対して第１の帯状部１６１と反対側に斜めに延び、外側部分の延伸方向がベルト１５０の短手方向に近づくように曲がった後に、第２の取付端部１５２に至る。第２の取付端部１５２では、ベルト１５０の表側に凹部１５２ａが形成され、ベルト１５０の裏側に突起１５２ｂが形成されている。第２の取付端部１５２では、ネジ用の挿通孔（例えば、２つの挿通孔）が、凹部１５２ａの底面から突起１５２ｂの先端面に亘って形成されている。
【００２５】
第３の帯状部１６３は、第１の帯状部１６１の中心線に対して、第２の帯状部１６２とは対称に設けられている。第３の帯状部１６３は、図３に示すように、ベルト１５０の中央部１５４からベルト１５０の長手方向に対して第１の帯状部１６１と反対側に斜めに延びて、外側部分の延伸方向がベルト１５０の短手方向に近づくように曲がった後に、第３の取付端部１５３に至る。第３の取付端部１５３では、ベルト１５０の表側に凹部１５３ａが形成され、ベルト１５０の裏側に突起１５３ｂが形成されている。第３の取付端部１５３では、ネジ用の挿通孔（例えば、２つの挿通孔）が、凹部１５３ａの底面から突起１５３ｂの先端面に亘って形成されている。
【００２６】
続いて、図１および図２を参照しながら、第１の筐体１０１の裏面１０１ａに形成されたベルト用の取付部１２１〜１２３について説明する。
【００２７】
第１の筐体１０１の裏面１０１ａには、第１の取付端部１５１が取り付けられる第１の取付部１２１と、第２の取付端部１５２が取り付けられる第２の取付部１２２と、第３の取付端部１５３が取り付けられる第３の取付部１２３とが形成されている。各取付部１２１〜１２３は、第１の筐体１０１の裏面１０１ａに形成された凹部と、その凹部の底面に開口するネジ穴（例えば、２つのネジ穴）とを有する。
【００２８】
第１の取付部１２１の凹部は、第１の筐体１０１の奥側の長辺の略中央部から内側に向かって形成された略矩形状の窪みである。第１の取付端部１５１は、第１の取付部１２１の凹部の底面に当接する状態で、第１の取付部１２１にネジ止めされる。
【００２９】
第２の取付部１２２及び第３の取付部１２３の各凹部は、第１の取付部１２１の凹部よりも面積が小さい略矩形状の窪みである。第１の筐体１０１の裏面１０１ａでは、第２の取付部１２２の凹部が第１の側面１０１ｂよりも少し内側に形成され、第３の取付部１２３の凹部が第２の側面１０１ｃよりも少し内側に形成されている。第２の取付部１２２及び第３の取付部１２３の各凹部は、第１の筐体１０１の長手方向に延びている。第２の取付端部１５２は、その突起１５２ｂが第２の取付部１２２の凹部に嵌め込まれた状態で、第２の取付部１２２にネジ止めされる。同様に、第３の取付端部１５３は、その突起１５３ｂが第３の取付部１２３の凹部に嵌め込まれた状態で、第３の取付部１２３にネジ止めされる。
【００３０】
ベルト１５０の３つの取付端部１５１〜１５３が第１の筐体１０１の３つの取付部１２１〜１２３に取り付けられた取付状態について説明する。以下では、ベルト１５０に自重のみが作用する状態（使用者などによりベルト１５０が引っ張られたり、押されたりしていない状態）について説明する。
【００３１】
ベルト１５０は、第２の取付端部１５２から第１の取付端部１５１までの部分が、図３に示すように、第１の筐体１０１の第１の側面１０１ｂの側から、その第１の側面１０１ｂから離れるに従って第１の筐体１０１の奥側に近づくように第１の筐体１０１の裏面１０１ａ上を斜めに延びている。この部分は、第１の筐体１０１の裏面１０１ａの対角線のうち、第１の側面１０１ｂの手前側から第２の側面１０１ｃの奥側へ延びる対角線よりも奥側に位置している。
【００３２】
また、ベルト１５０は、図３に示すように、第３の取付端部１５３から第１の取付端部１５１までの部分が、第１の筐体１０１の第２の側面１０１ｃの側から、その第２の側面１０１ｃから離れるに従って第１の筐体１０１の奥側に近づくように第１の筐体１０１の裏面１０１ａ上を斜めに延びている。この部分は、第１の筐体１０１の裏面１０１ａの対角線のうち、第１の側面１０１ｂの奥側から第２の側面１０１ｃの手前側へ延びる対角線よりも奥側に位置している。
【００３３】
また、第１の帯状部１６１は、図２に示すように、中央部１５４から折り返し部１５５までの部分と、第１の筐体１０１の裏面１０１ａとの間に、折り返し部１５５による隙間が形成されている。第１の帯状部１６１は、折り返し部１５５から中央部１５４に近づくに従って、第１の筐体１０１の裏面１０１ａとの間の隙間が徐々に大きくなっている。折り返し部１５５は、第１の取付端部１５１の位置から見て、第１の筐体１０１の短手方向の外側に突出している。
【００３４】
また、第２の帯状部１６２は、図２に示すように、第２の取付端部１５２の近傍が第１の筐体１０１の裏面１０１ａに当接し、中央部１５４に近づくに従って、第１の筐体１０１の裏面１０１ａとの間の隙間が徐々に大きくなっている。同様に、第３の帯状部１６３は、図２に示すように、第３の取付端部１５３の近傍が第１の筐体１０１の裏面１０１ａに当接し、中央部１５４に近づくに従って第１の筐体１０１の裏面１０１ａとの間の隙間が徐々に大きくなっている。
【００３５】
また、折り返し部１５５の外端は、第１の筐体１０１の奥側の長辺と略一直線になっている。折り返し部１５５の外端は、第１の筐体１０１の奥側に設けられるコーナーガード１３５よりも内側に位置している。コーナーガード１３５は図３にのみ記載している。なお、折り返し部１５５の外端は、第１の筐体１０１の奥側の長辺より内側に位置していてもよい。この場合、折り返し部１５５の外端が他の物体と接触しにくくなるため、折り返し部１５５の損傷を抑制することができる。
【００３６】
ベルト１５０は、第１の筐体１０１の裏面１０１ａと共に、使用者の手の入口又は出口となる３つの開口１７１〜１７３を形成している。第１の開口１７１は、ベルト１５０においてその延伸方向に延びる縁のうち、第１の筐体１０１の手前側の縁が第１の筐体１０１の裏面１０１ａとの間に形成する手前側開口である。第１の開口１７１は幅広の開口である。ベルト１５０を第１の筐体１０１の手前側から見ると、ベルト１５０の手前側は弓状に湾曲している。一方、第２の開口１７２及び第３の開口１７３は、ベルト１５０においてその延伸方向に延びる縁のうち、第１の筐体１０１の奥側の縁が第１の筐体１０１の裏面１０１ａとの間に形成する奥側開口である。第２の開口１７２及び第３の開口１７３は、第１の帯状部１６１により区画されている。第２の開口１７２は、第１の帯状部１６１よりも第１の側面１０１ｂ側に形成され、第３の開口１７３は、第１の帯状部１６１よりも第２の側面１０１ｃ側に形成されている。ベルト１５０に自重だけが作用する状態では、第２の開口１７２における高さの最高値及び第３の開口１７３における高さの最高値よりも、第１の開口１７１における高さの最高値の方が大きくなっている。
【００３７】
続いて、正面から見たベルト１５０の外形形状について説明する。ベルト１５０においてその延伸方向に延びる縁のうち、第１の筐体１０１の手前側の縁の形状は、図３に示すように、第１の筐体１０１の奥側へ凹んだ曲線（凹曲線）に形成されている。また、ベルト１５０においてその延伸方向に延びる縁のうち、第１の取付端部１５１と第２の取付端部１５２との間を延びる部分の奥側の縁の形状は、第１の取付端部１５１側から順番に、ベルト１５０の短手方向に延びる第１−１直線部１８１、中央部１５４側へ凹んだ第１−１曲線部１８２、ベルト１５０の長手方向に対して斜めに延びる第１−２直線部１８３、及び第１−１曲線部１８２とは反対側へ曲がる第１−２曲線部１８４が連続している。第１−１曲線部１８２は、第１の取付端部１５１の中心と第２の取付端部１５２の中心との間を結ぶ線から離れるように凹んでいる。同様に、ベルト１５０においてその延伸方向に延びる縁のうち、第１の取付端部１５１と第３の取付端部１５３との間を延びる部分の奥側の縁の形状は、第１の取付端部１５１側から順番に、ベルト１５０の短手方向に延びる第２−１直線部１９１、中央部１５４側へ凹んだ第２−１曲線部１９２、ベルト１５０の長手方向に対して斜めに延びる第２−２直線部１９３、及び第２−１曲線部１９２とは反対側へ曲がる第２−２曲線部１９４が連続している。第２−１曲線部１９２は、第１の取付端部１５１の中心と第３の取付端部１５３の中心との間を結ぶ線から離れるように凹んでいる。
【００３８】
[１−３．情報処理装置の保持方法及び効果等]
本実施の形態において、情報処理装置１００を片手で保持して使用する場合の保持方法について説明する。
【００３９】
図５では、使用者は、第１の開口１７１から手を挿入して、第２の開口１７２から親指を出し、第３の開口１７３から人差し指から小指までの４本の指を出した状態で、第１の筐体１０１の裏面１０１ａを手のひらで保持している。この保持方法の場合に、親指と人差し指で第１の帯状部１６１を挟み込むことで、情報処理装置１００を安定して保持することができる。さらに、第１の帯状部１６１が第１の筐体１０１の奥側に位置しているため、使用者が全部の指または一部の指を折り曲げると、第１の筐体１０１の奥側の外周面１０１ｄに指先が当たる。従って、使用者は、親指と人差し指で第１の帯状部１６１を挟み込みつつ、第１の筐体１０１の奥側の外周面１０１ｄに指先を当てた状態で、情報処理装置１００を保持することができる。
【００４０】
また、使用者は、第１の開口１７１から手を挿入して、第２の開口１７２又は第３の開口１７３の一方から全ての指を出した状態で、第１の筐体１０１の裏面１０１ａを手のひらで保持する方法を採用することもできる。この場合も、第１の筐体１０１の奥側の外周面１０１ｄに指先を当てることができる。
【００４１】
また、ベルト１５０は、第１の筐体１０１の奥側の略中央部から第１の筐体１０１の側面（第１の側面１０１ｂ又は第２の側面１０１ｃ）の近傍まで延びている。このため、第３の開口１７３から多くの指を出す場合は、第１の筐体１０１の裏面１０１ａの短手方向に手及び腕を設けるのではなく、図５に示すように、第１の筐体１０１の裏面１０１ａの短手方向に対して斜めに手及び腕を設けることができる。また、図示しないが、第２の開口１７２から多くの指を出す場合も同様に、第１の筐体１０１の裏面１０１ａの短手方向に対して斜めに手及び腕を設けることができる。このように手及び腕を斜めに設けると、第１の筐体１０１の裏面１０１ａに対する使用者の手及び腕の接触面積が大きくなる。従って、情報処理装置１００をより安定して保持することができる。
【００４２】
また、ベルト１５０の第１の開口１７１は幅広の開口であるため、使用者の手の挿入方向の自由度が大きい。従って、使用者は、無理のない手の挿入方向を選択することができる。
【００４３】
また、ベルト１５０は、第１の筐体１０１の奥側の略中央部から第１の側面１０１ｂ及び第２の側面１０１ｃへそれぞれ延びている。このため、使用者は、右手でも左手でも同じ方法で情報処理装置１００を保持することができる。ベルト１５０は、左右対称な略Ｙ字状であるため、左利き用と右利き用とを兼ねることができる。また、ベルト１５０が第１の筐体１０１の奥側の略中央部から片方の側面だけに延びている場合に比べて、使用者は様々な保持方法を選択することができる。
【００４４】
また、第１の取付端部１５１の近傍に折り返し部１５５が設けられている。そのため、第１の取付端部１５１の近傍は、第２の取付端部１５２の近傍及び第３の取付端部１５３の近傍よりも、第１の筐体１０１の裏面１０１ａとの間の隙間が大きい。さらに、ベルト１５０が弾性変形する素材で構成されているため、折り返し部１５５は第１の筐体１０１の厚さ方向に弾性変形する。折り返し部１５５は弾性変形部を構成している。そのため、第１の取付端部１５１の近傍は、第２の取付端部１５２の近傍及び第３の取付端部１５３の近傍より、さらに第１の筐体１０１の裏面１０１ａとの間の隙間を大きくすることができる。従って、使用者は、第１の帯状部１６１の外側部分にまで手を入れることができ、第１の帯状部１６１を指で容易に挟むことができる。
【００４５】
また、ベルト１５０を弾性変形する素材で構成しているために、ベルト１５０の弾性力を利用して、使用者の手を第１の筐体１０１の裏面に押し付けることができる。従って、手とベルト１５０との一体感を向上させることができる。
【００４６】
また、上述したように、第２の開口１７２における高さの最高値及び第３の開口１７３における高さの最高値よりも、第１の開口１７１における高さの最高値の方が大きい。そのため、第１の開口１７１から手を挿入した場合に、ベルト１５０の奥側よりも手前側の方が、手の甲のうち手の厚みが大きい箇所に当接する。そのため、ベルト１５０に対する手のフィット感を向上させることができる。
【００４７】
また、ベルト１５０においてその延伸方向に延びる縁の形状について、ベルト１５０の奥側には、中央部１５４側へ凹んだ第１−１曲線部１８２および第２−１曲線部１９２が存在している。このため、指の第２関節または第３関節がベルト１５０の第２の開口１７２又は第３の開口１７３から出やすい。第２の開口１７２又は第３の開口１７３から奥側へ出た関節は、ベルト１５０に引っ掛かりやすいので、情報処理装置１００をより安定して保持することができる。また、手のひらで保持された情報処理装置１００を回転しにくくすることもできる。
【００４８】
また、略矩形のディスプレイ１０３が縦向きになるように使用者が情報処理装置１００を保持する場合に、使用者の親指と人差し指の間にベルト１５０の第１の帯状部１６１が引っ掛かる。そのため、使用者は、第１の帯状部１６１が引っ掛かる手の部位で、情報処理装置１００の重さを受け持つことにより、情報処理装置１００を容易に保持することができる。なお、ディスプレイ１０３を縦向きに使用できる場合は、情報処理装置１００は、ディスプレイ１０３に横向きに画像を表示する状態と、ディスプレイ１０３に縦向きに画像を表示する状態とを切り替え可能に構成されている。この場合に、例えば、情報処理装置１００において、情報処理装置１００の向きを検出して、その検出結果に応じてディスプレイ１０３の画像を回転させる画像回転処理が行われる。
【００４９】
また、情報処理装置１００は、開閉機構１２０としてニ軸ヒンジを使用してもよい。この場合は、図６に示すように、ディスプレイ１０３が設けられた第２の筐体１０２の前面１０２ａが第１の筐体１０１とは反対側を向いたまま情報処理装置１００を閉じたタブレット状態で、情報処理装置１００を使用することができる。この場合も、ディスプレイ１０３が縦向きになるように使用者が情報処理装置１００を保持する場合に、第１の帯状部１６１が引っ掛かる親指と人差し指の間で、情報処理装置１００の重さを受け持つことにより、情報処理装置１００を容易に保持することができる。
【００５０】
（実施の形態２）
以下、図７〜８を用いて、実施の形態２を説明する。図７は、本実施の形態における情報処理装置２００の表面図である。図８は、本実施の形態における情報処理装置２００の裏側の斜視図である。
【００５１】
[２−１．情報処理装置の構成]
図７及び図８に示すように、本実施の形態の情報処理装置２００は、タブレット型の情報処理端末（例えば、ＰＤＡ（Personal Digital Assistant））である。情報処理装置２００は、表面にディスプレイ２０２および操作部２１０（例えば、タッチパネル）が設けられた筐体２０１と、筐体２０１の裏面２０１ａとの間に隙間が形成されるように筐体２０１に３箇所で取り付けられたベルト１５０とを備えている。筐体２０１は、平面視が略矩形状で薄型の筐体である。筐体２０１は、ＣＰＵ、メモリー（例えばＨＤＤ）、及びバッテリーなどを内蔵している。筐体２０１の裏面２０１ａ（下面）には、後述するベルト１５０などが設けられている。
【００５２】
情報処理装置２００では、筐体２０１の向きに応じて、ディスプレイ２０２に表示される画像を回転させる画像回転処理が実行される。情報処理装置２００は、筐体２０１を横向きにするとディスプレイ２０２を横向きに使用する状態（ディスプレイ２０２の短手方向が画像の上下方向になる状態）になり、筐体２０１を縦向きにするとディスプレイ２０２を縦向きに使用する状態（ディスプレイ２０２の長手方向が画像の上下方向になる状態）になる。ディスプレイ２０２は、筐体２０１の外周の一部を構成する第１長辺２０１ｄ（図８において左上の長辺）の側が上側になるように画像を表示可能である。
【００５３】
[２−２．ベルトの構成]
図８に示すように、ベルト１５０は、実施の形態１と同じベルトである。ベルト１５０は、第１の取付端部１５１が、筐体２０１の裏面２０１ａにおける第１長辺２０１ｄの側に形成された第１の取付部２２１に取り付けられる。第２の取付端部１５２が、筐体２０１の裏面２０１ａにおける一方の第１短辺２０１ｂの側に形成された第２の取付部２２２に取り付けられる。第３の取付端部１５３が、筐体２０１の裏面２０１ａにおいて第１短辺２０１ｂに相対する第２短辺２０１ｃの側に形成された第３の取付部２２３に取り付けられる。
【００５４】
ベルト１５０の３つの取付端部１５１〜１５３が筐体２０１の３つの取付部２２１〜２２３に取り付けられた取付状態について説明する。以下では、ベルト１５０に自重のみが作用する状態（使用者などによりベルト１５０が引っ張られたり、押されたりしていない状態）について説明する。
【００５５】
ベルト１５０は、第２の取付端部１５２から第１の取付端部１５１までの部分が、図８に示すように、筐体２０１の第１短辺２０１ｂの側から、その第１短辺２０１ｂから離れるに従って筐体２０１の第１長辺２０１ｄに近づくように筐体２０１の裏面２０１ａ上を斜めに延びている。また、ベルト１５０は、図８に示すように、第３の取付端部１５３から第１の取付端部１５１までの部分が、筐体２０１の第２短辺２０１ｃの側から、その第２短辺２０１ｃから離れるに従って筐体２０１の第１長辺２０１ｄに近づくように筐体２０１の裏面２０１ａ上を斜めに延びている。また、折り返し部１５５の外端は、筐体２０１の第１長辺２０１ｄと略一直線になっている。なお、折り返し部１５５の外端は、筐体２０１の第１長辺２０１ｄより内側に位置していてもよい。
【００５６】
ベルト１５０は、筐体２０１の裏面２０１ａと共に、使用者の手の入口又は出口となる３つの開口２７１〜２７３を形成している。第１の開口２７１は、ベルト１５０においてその延伸方向に延びる縁のうち、第１長辺２０１ｄとは反対側の縁が筐体２０１の裏面２０１ａとの間に形成する開口である。一方、第２の開口２７２及び第３の開口２７３は、ベルト１５０においてその延伸方向に延びる縁のうち、第１長辺２０１ｄの側の縁が筐体２０１の裏面２０１ａとの間に形成する開口である。ベルト１５０に自重だけが作用する状態では、第２の開口２７２における高さの最高値及び第３の開口２７３における高さの最高値よりも、第１の開口２７１における高さの最高値の方が大きくなっている。
【００５７】
なお、本実施の形態の筐体２０１は、第２短辺２０１ｃの側が上側となる。例えば、筐体２０１の表面又は裏面に、第２短辺２０１ｃの側が上側となるように文字が付されている。第１長辺２０１ｄは、図７において筐体２０１の左側の辺である。ベルト１５０は、図７において筐体２０１の右側の長辺の側に第１の取付端部１５１が取り付けられるように、本実施の形態とは逆の位置に設けてもよい。
【００５８】
本実施の形態では、上述したように、筐体２０１の向きに応じて、ディスプレイ２０２に表示される画像が回転するため、使用者は、図８とは異なり、略矩形のディスプレイ２０２が縦向きになるように情報処理装置２００を使用することができる。このような場合に、使用者の親指と人差し指の間にベルト１５０の第１の帯状部１６１が引っ掛かる。そのため、使用者は、第１の帯状部１６１が引っ掛かる手の部位で、情報処理装置２００の重さを受け持つことにより、情報処理装置２００を容易に保持することができる。
【００５９】
（他の実施の形態）
以上のように、本出願において開示する技術の例示として、実施の形態１〜２を説明した。しかしながら、本開示における技術は、これに限定されず、適宜、変更、置き換え、付加、省略などを行った実施の形態にも適用可能である。また、上記実施の形態１〜２で説明した各構成要素を組み合わせて、新たな実施の形態とすることも可能である。
【００６０】
そこで、以下、他の実施の形態を例示する。
【００６１】
実施の形態１〜２では、弾性変形部の一例として、折り返し部１５５を説明した。しかし、弾性変形部は、これに限定されない。例えば、弾性変形部は、ベルト１５０のベルト本体部よりも伸縮性の大きい帯状のゴムであってもよい。
【００６２】
また、実施の形態１〜２では、折り返し部１５５が弾性変形するが、折り返し部１５５が弾性変形しない素材により構成されていてもよい。
【００６３】
また、実施の形態１〜２において、筐体の奥側に脚部を設ける場合に、ベルト１５０の中央部１５４を脚部の下端よりも膨出させてもよい。これにより、情報処理装置が裏面から落下する場合に、ベルト１５０がクッションの役割を果たす。
【００６４】
また、実施の形態１〜２では、第１の取付端部１５１を筐体の裏面に取り付けたが、第１の取付端部１５１を筐体の奥側の外周面に取り付けてもよい。その場合に、折り返し部１５５を筐体の外側へ突出させてもよいし、筐体の下側へ突出させてもよい。また、実施の形態１〜２では、第２の取付端部１５１及び第３の取付端部１５２を筐体の裏面に取り付けたが、筐体の側面に取り付けてもよい。
【００６５】
また、実施の形態１〜２では、ベルトの一例として、３箇所で情報処理装置１００に取り付けられるタイプのベルト１５０を説明した。しかし、ベルトは、これに限定されない。例えば、図９に示すように、２箇所で情報処理装置１００に取り付けられるタイプのベルト２５０であってもよい。この場合に、ベルト２５０における第１の取付端部２５１と第２の取付端部２５２との間の部分は、表面に操作部が設けられた筐体１０１の一方の側面１０１ｂの側から、その一方の側面１０１ｂから離れるに従って筐体１０１の奥側に近づくように筐体１０１の裏面１０１ａ上を斜めに延びている。
【００６６】
また、実施の形態１〜２では、ベルトの一例として、第１の取付端部１５１の近傍に折り返し部１５５が設けられているベルト１５０を説明した。しかし、ベルト１５０は、これに限定されない。例えば、ベルト１５０に折り返し部１５５を設けなくてもよいし、第２の取付端部１５２の近傍及び第３の取付端部１５３の近傍にも折り返し部を設けてもよい。
【００６７】
また、実施の形態１〜２では、筐体の長辺の略中央部の近傍に、ベルト１５０の第１の取付端部１５１を取り付けていた。しかし、ベルト１５０の第１の取付端部１５１は、図１０に示すように、筐体１０１の短手方向において一方の長辺１０１ｅの側に取り付ければよく、その長辺１０１ｅから離れた位置に取り付けてもよい。また、ベルト１５０の第１の取付端部１５１は、筐体１０１の長手方向において長辺１０１ｅの中央部よりも一方の短辺寄りに取り付けてもよい。
【００６８】
また、実施の形態１〜２では、筐体の裏面における側面の略中央部に、ベルト１５０の第２の取付端部１５２及び第３の取付端部１５３を取り付けていた。しかし、ベルト１５０の第２の取付端部１５２及び第３の取付端部１５３は、筐体の手前側に取り付けてもよい。
【００６９】
また、実施の形態１〜２では、ベルト１５０が取り付けられる筐体は、平面視が略矩形状であったが、例えば平面視が略正方形状であってもよい。
【００７０】
以上のように、本開示における技術の例示として、実施の形態を説明した。そのために、添付図面および詳細な説明を提供した。
【００７１】
したがって、添付図面および詳細な説明に記載された構成要素の中には、課題解決のために必須な構成要素だけでなく、上記技術を例示するために、課題解決のためには必須ではない構成要素も含まれ得る。そのため、それらの必須ではない構成要素が添付図面や詳細な説明に記載されているからといって、直ちに、それらの必須ではない構成要素が必須であるとの認定を受けるべきではない。
【００７２】
また、上述の実施の形態は、本開示における技術を例示するためのものであるから、特許請求の範囲またはその均等な範囲において種々の変更、置き換え、付加、省略などを行うことができる。
【産業上の利用可能性】
【００７３】
本開示は、情報処理装置の保持に使用されるベルトを備えた情報処理装置等に適用可能である。
【符号の説明】
【００７４】
１００、２００  情報処理装置
１０１  第１の筐体
１０２  第２の筐体
１０３  ディスプレイ
１１０  操作部
１２０  開閉機構
１５０、２５０  ベルト
１５１  第１の取付端部
１５２  第２の取付端部
１５３  第３の取付端部
１５４  中央部
１５５  折り返し部
１６１  第１の帯状部
１６２  第２の帯状部
１６３  第３の帯状部
２０１  筐体
２０２  ディスプレイ